(57)【要約】【課題】  対流熱対策，伝導熱対策，輻射熱対策，表面結露対策に優れ、かつ、作業性に優れた遮熱建築物の構築方法および遮熱建築物を提供すること。【解決手段】  柱・間柱、軒桁および土台の屋外側に遮熱性、防水性、および透湿性を持つアルミ熱線反射材を取り付ける工程と、該アルミ熱線反射材の屋外側に通気胴縁を間隔を存して取り付ける工程と、該通気胴縁の屋外側に外壁仕上げ材を取り付ける工程と、前記アルミ熱線反射材の屋内側で前記柱・間柱、軒桁および土台の間隔区画の境界部に気密テープを張り付ける工程と、前記間隔区画内に、硬質ウレタン樹脂発泡性液を現場で発泡させて吹き付ける工程と、前記間柱の屋内側に内壁下地を取り付ける工程と、該内壁下地の屋内側に内壁仕上げ材を取り付ける工程とを含む構築方法。それによる建築物。同様の天井構造と小屋裏構造の構築方法と得られた建築物。【選択図】  図１
2013057222.tif 000002
【特許請求の範囲】
【請求項１】
柱・間柱、軒桁および土台の屋外側に遮熱性、防水性、および透湿性を持つアルミ熱線反射材を取り付ける工程と、該アルミ熱線反射材の屋外側に通気胴縁を間隔を存して取り付ける工程と、該通気胴縁の屋外側に外壁仕上げ材を取り付ける工程と、
前記アルミ熱線反射材の屋内側で前記柱・間柱、軒桁および土台の間隔区画の境界部に気密テープを張り付ける工程と、
前記間隔区画内に、硬質ウレタン樹脂発泡性液を現場で発泡させて吹き付ける工程と、前記間柱の屋内側に内壁下地を取り付ける工程と、該内壁下地の屋内側に内壁仕上げ材を取り付ける工程とを含むことを特徴とする遮熱建築物の構築方法。
【請求項２】
天井下地材の小屋裏側に遮熱性、防水性、および透湿性を持つ  アルミ熱線反射材を取り付ける工程と、
前記アルミ熱線反射材の屋内側で前記天井下地材の間隔区画内に、硬質ウレタン樹脂発泡性液を現場で発泡させて吹き付ける工程と、該天井下地材の屋内側に天井仕上げ材を取り付ける工程とを含むことを特徴とする遮熱建築物の構築方法。
【請求項３】
垂木の屋外側で棟木から軒桁までの部分に遮熱性、防水性、および透湿性を持つアルミ熱線反射材を取り付けるに際し、
軒桁部分で前記反射材が垂木に接している部分の垂木の両側面に対応する部分を切断し、隣り合う垂木間で反射材を垂れ下げ、その下端縁を軒桁の屋外側に取り付けるようにした、アルミ熱線反射材を取り付ける工程と、該アルミ熱線反射材の屋外側に通気胴縁を間隔を存して取り付ける工程と、該通気胴縁の屋外側に野地板を取り付ける工程と、該野地板の屋外側にルーフィングを取り付ける工程と、該ルーフィングの屋外側に屋根仕上げ材を取り付ける工程と、
前記反射材の垂下部分と垂木側面との境界部に気密テープを貼る工程と、
前記アルミ熱線反射材の小屋裏側で前記垂木の間隔区画内に、硬質ウレタン樹脂発泡性液を現場で発泡させて吹き付ける工程とを含むことを特徴とする遮熱建築物の構築方法。
【請求項４】
柱・間柱、軒桁および土台の屋外側に取り付けられた遮熱性、防水性、および透湿性を持つアルミ熱線反射材と、該アルミ熱線反射材の屋外側に間隔を存して取り付けられた通気胴縁と、該通気胴縁の屋外側に取り付けられた外壁仕上げ材と、
前記アルミ熱線反射材の屋内側で前記柱・間柱、軒桁および土台の間隔区画の境界部に張り付けられた気密テープと、
前記アルミ熱線反射材の屋内側で前記間隔区画内に、現場で発泡させて吹き付けられた硬質ウレタン樹脂発泡層と、前記柱・間柱の屋内側に取り付けられた内壁下地と、該内壁下地の屋内側に取り付けられた内壁仕上げ材とを含むことを特徴とする遮熱建築物。
【請求項５】
天井下地材の小屋裏側に取り付けられた遮熱性、防水性、および透湿性を持つアルミ熱線反射材と、
前記アルミ熱線反射材の屋内側で前記天井下地材の間隔区画内に、現場で発泡させて吹き付けられた硬質ウレタン樹脂発泡層と、該天井下地材の屋内側に取り付けられた天井仕上げ材とを含むことを特徴とする遮熱建築物。
【請求項６】
棟木と軒桁間に張り渡された垂木の屋外側で、棟木から軒桁までの部分、および隣り合う垂木間の軒桁部分で軒桁の屋外側へ取り付けられた防水性、および透湿性を持つアルミ熱線反射材と、該アルミ熱線反射材の屋外側に間隔を存して取り付けられた通気胴縁と、該通気胴縁の屋外側に取り付けられた野地板と、該野地板の屋外側に取り付けられたルーフィングと、該ルーフィングの屋外側に取り付けられた屋根仕上げ材と、
前記反射材の垂下部分と垂木側面との境界部に張り付けられた気密テープと、
前記アルミ熱線反射材の小屋裏側で前記垂木の間隔区画内に、現場で発泡させて吹き付けられた硬質ウレタン樹脂発泡層とを含むことを特徴とする遮熱建築物。
【請求項７】
前記間隔区画内に、硬質ウレタン樹脂発泡性液を現場で発泡させて吹き付ける工程において、イソシアネートと水を混合させて発生する炭酸ガスを発泡剤として利用し発泡させる請求項１または２または３記載の遮熱建築物の構築方法。
【請求項８】
前記現場で発泡させて吹き付けられた樹脂発泡層は、無数の細かい連続気泡で構成された請求項４または５または６記載の遮熱建築物。
【発明の詳細な説明】
【技術分野】
【０００１】
本発明は、遮熱建築物の構築方法および遮熱建築物に関するものである。
【背景技術】
【０００２】
従来の建築用断熱材料として、第１例で、グラスウール，ウレタンボードのような発泡系の断熱材またはアルミの遮熱材がある。第２例で、発泡系ボードの表面にアルミ素材等を張り合わせたボードが流通している。また第３例は本出願人が開発し特許を取得したものに使用されているもので、樹脂系気泡シートとアルミニウム箔の結合されたアルミ熱線反射材である（特許文献１）。
【先行技術文献】
【特許文献】
【０００３】
【特許文献１】特許第４２２６５８８号公報
【発明の概要】
【発明が解決しようとする課題】
【０００４】
しかしながら、第１例のものは対流熱対策，伝導熱対策，輻射熱対策，表面結露対策等にそれぞれ欠点がある。第２例のものは、作業性が悪く、ごみが大量に発生する。また、外張り断熱工法に使用した場合、断熱材の厚みが増す毎にビスの効果が少なくなり、支持体に問題が生じる。そのうえ、気密性能を上げるためには、ボードの互いに隣り合う突き合わせ部に気密テープを貼るので、手間と費用がかかることになる。第３例のものは湿気を通さないので、屋内の湿気を屋外に排出できない。また、シートを柱の屋外側に貼り付けてその屋外側に桟を釘で打ち付けるとき、シートの気泡のため、気泡がへこんで桟が曲がるおそれがある。
【０００５】
本発明は上記課題を解決し、対流熱対策，伝導熱対策，輻射熱対策，表面結露対策に優れ、かつ、作業性に優れた遮熱建築物の構築方法および遮熱建築物を提供することを目的とする。
【課題を解決するための手段】
【０００６】
本発明は、アルミ熱線反射材を取り付けた後に、樹脂発泡性液を現場で発泡させ吹き付ける断熱樹脂発泡層を形成する、複合体工法に係わる。これにより、断熱材料個々の欠点を補うので、高性能な断熱性能が期待できる。断熱，遮熱，保温，電磁波の軽減を必要とする箇所に適用し、住環境改善および省エネ・結露対策・温熱環境改善に貢献する。
【０００７】
即ち、本発明の第１課題解決手段の方法は、柱・間柱、軒桁および土台の屋外側に遮熱性、防水性、および透湿性を持つアルミ熱線反射材を取り付ける工程と、該アルミ熱線反射材の屋外側に通気胴縁を間隔を存して取り付ける工程と、該通気胴縁の屋外側に外壁仕上げ材を取り付ける工程と、前記アルミ熱線反射材の屋内側で前記柱・間柱、軒桁および土台の間隔区画の境界部に気密テープを張り付ける工程と、前記間隔区画内に、硬質ウレタン樹脂発泡性液を現場で発泡させて吹き付ける工程と、前記間柱の屋内側に内壁下地を取り付ける工程と、該内壁下地の屋内側に内壁仕上げ材を取り付ける工程とを含むことである。
【０００８】
本発明の第２課題解決手段の方法は、天井下地材の小屋裏側に遮熱性、防水性、および透湿性を持つアルミ熱線反射材を取り付ける工程と、前記アルミ熱線反射材の屋内側で前記天井下地材の間隔区画内に、硬質ウレタン樹脂発泡性液を現場で発泡させて吹き付ける工程と、該天井下地材の屋内側に天井仕上げ材を取り付ける工程とを含むことである。
【０００９】
本発明の第３課題解決手段の方法は、垂木の屋外側で棟木から軒桁までの部分に遮熱性、防水性、および透湿性を持つアルミ熱線反射材を取り付けるに際し、軒桁部分で前記反射材が垂木に接している部分の垂木の両側面に対応する部分を切断し、隣り合う垂木間で反射材を垂れ下げ、その下端縁を軒桁の屋外側に取り付けるようにした、アルミ熱線反射材を取り付ける工程と、該アルミ熱線反射材の屋外側に通気胴縁を間隔を存して取り付ける工程と、該通気胴縁の屋外側に野地板を取り付ける工程と、該野地板の屋外側にルーフィングを取り付ける工程と、該ルーフィングの屋外側に屋根仕上げ材を取り付ける工程と、前記反射材の垂下部分と垂木側面との境界部に気密テープを貼る工程と、前記アルミ熱線反射材の小屋裏側で前記垂木の間隔区画内に、硬質ウレタン樹脂発泡性液を現場で発泡させて吹き付ける工程とを含むことである。
【００１０】
本発明の第４課題解決手段の建築物は、柱・間柱、軒桁および土台の屋外側に取り付けられた遮熱性、防水性、および透湿性を持つアルミ熱線反射材と、該アルミ熱線反射材の屋外側に間隔を存して取り付けられた通気胴縁と、該通気胴縁の屋外側に取り付けられた外壁仕上げ材と、前記アルミ熱線反射材の屋内側で前記柱・間柱、軒桁および土台の間隔区画の境界部に張り付けられた気密テープと、前記アルミ熱線反射材の屋内側で前記間隔区画内に、現場で発泡させて吹き付けられた硬質ウレタン樹脂発泡層と、前記柱・間柱の屋内側に取り付けられた内壁下地と、該内壁下地の屋内側に取り付けられた内壁仕上げ材とを含むことである。
【００１１】
本発明の第５課題解決手段の建築物は、天井下地材の小屋裏側に取り付けられた遮熱性、防水性、および透湿性を持つアルミ熱線反射材と、前記アルミ熱線反射材の屋内側で前記天井下地材の間隔区画内に、現場で発泡させて吹き付けられた硬質ウレタン樹脂発泡層と、該天井下地材の屋内側に取り付けられた天井仕上げ材とを含むことである。
【００１２】
本発明の第６課題解決手段の建築物は、棟木と軒桁間に張り渡された垂木の屋外側で、棟木から軒桁までの部分、および隣り合う垂木間の軒桁部分で軒桁の屋外側へ取り付けられた防水性、および透湿性を持つアルミ熱線反射材と、該アルミ熱線反射材の屋外側に間隔を存して取り付けられた通気胴縁と、該通気胴縁の屋外側に取り付けられた野地板と、該野地板の屋外側に取り付けられたルーフィングと、該ルーフィングの屋外側に取り付けられた屋根仕上げ材と、前記反射材の垂下部分と垂木側面との境界部に張り付けられた気密テープと、前記アルミ熱線反射材の小屋裏側で前記垂木の間隔区画内に、現場で発泡させて吹き付けられた硬質ウレタン樹脂発泡層とを含むことである。
【００１３】
本発明の第７課題解決手段の方法は、第１，第２，第３課題解決手段において、前記間隔区画内に、硬質ウレタン樹脂発泡性液を現場で発泡させて吹き付ける工程において、イソシアネートと水を混合させて発生する炭酸ガスを発泡剤として利用し発泡させることである。
【００１４】
本発明の第８課題解決手段の建築物は、第４，第５，第６課題解決手段において、前記現場で発泡させて吹き付けられた樹脂発泡層は、無数の細かい連続気泡で構成されたものである。
【発明の効果】
【００１５】
本発明は、アルミ熱線反射材と、硬質ウレタン樹脂発泡性液を現場で発泡させ吹き付けて断熱樹脂発泡層を形成することを組み合わせることにより、対流熱，伝導熱，輻射熱の３種類の熱移動に対し、断熱，遮熱，保温の性能を発揮することとなった。しかも、遮熱性、防水性、および透湿性を持つアルミ熱線反射材と、無数の細かい連続気泡で構成された樹脂発泡層により、これらの持つ細孔を通して屋内の湿気は屋外へ排出されることになる。このため、防露性が向上することになる。
【００１６】
また、アルミ熱線反射材に樹脂発泡性液を現場で発泡吹き付けることにより、作業性がよく、ゴミがほとんど発生しない。また、アルミ熱線反射材は、外張り断熱工法の扱いとなるが、厚みが薄いので、支持体に問題が生じにくくなる。また、現場で吹き付けることにより、発泡しながら隙間が埋まっていくこととなり、気密性能を簡単に上げることができる。
【００１７】
しかも、前記アルミ熱線反射材の屋内側で前記柱・間柱、軒桁および土台の間隔区画の境界部に気密テープを張り付ける。また、前記反射材の垂下部分と垂木側面との境界部に気密テープを貼る。従って、発砲樹脂の吹き付けに際し、吹き付け圧力や反射材の伸縮性により、反射材が取り付けられる柱、軒桁、土台などの面との間に吹き付け樹脂が侵入する不都合を防止できる。
【図面の簡単な説明】
【００１８】
【図１】壁構造の縦断面図である。
【図２】天井構造の縦断面図である。
【図３】小屋裏構造の縦断面図である。
【発明を実施するための形態】
【００１９】
以下に本発明の一実施例を木造在来工法の例にとって図面にもとづき説明する。
図１と図３の下部は壁構造１０を示したものである。柱・間柱１１，軒桁Ａ５（又は胴差しＡ３），土台Ａ２にわたり、屋外側にアルミ熱線反射材１をタッカー等で取り付ける。ここで、土台の下半部には水切り１６が取り付けられ、その外側に前記反射材１が垂下した状態となる。アルミ熱線反射材１として、遮熱性、防水性、および透湿性を持つシートで、次のものが使用される。（後記の天井構造および小屋裏構造にも適用される）
○製造販売者：  セーレン株式会社，住所：東京都港区南青山１丁目１−１（南青山ビル東館１７Ｆ）
商品名：  ラミテクトサーモ
○輸入販売者：  デュポン  フラッシュスパン  プロダクツ株式会社，
住所：東京都千代田区永田町２−１１−１（山王パークタワー）
商品名：  デュポン  タイベック  シルバー
次に、該アルミ熱線反射材の屋外側で前記柱に、上下に長い通気胴縁１２を左右に間隔を存して取り付ける。該通気胴縁の屋外側で前記通気胴縁に外壁仕上げ材１３を取り付ける。
【００２０】
そして、前記アルミ熱線反射材１の屋内側で、前記間柱１１の間隔区画内と軒桁（又は胴差し）と土台Ａ２の間に、樹脂発泡性液を現場で発泡させて吹き付ける。
形成された樹脂発泡層は、無数の細かい連続気泡で構成されたものとなる。
【００２１】
即ち、例えば、次のような原料を使って、スプレー発泡機を使って行われる。（後記の天井構造および小屋裏構造にも適用される）
○原料：硬質ウレタン  品名：アクアフォーム，
組成（容量比）ポリオール成分……１００，イソシアネート成分１００，
発泡剤：イソシアネートと水を混合させて発生する炭酸ガスを発泡剤として利用する
○製造販売者：株式会社  日本アクア，住所：名古屋市南区北頭町２−２５。
【００２２】
ここで、発泡樹脂の吹き付けに際し、吹き付け圧力や反射材１の伸縮性により、反射材が取り付けられる柱，軒桁，土台等の面との間に吹き付け樹脂が侵入すれば、そこで発泡してその部分を外側へ不都合に膨張させてしまう。そのような恐れがあるときは、吹き付け作業の前に、それらの境界部に気密テープを貼り付けるとよい。また、タッカー（ホッチキス針）で止めるときのタッカー同志の間隔を狭くすればよいが、この場合、タッカーを含めてその周囲をアルミ箔の防水テープを貼り付ければよい。
次いで、前記間柱１１，軒桁Ａ５，胴差しＡ３，土台Ａ２にわたり、その屋内側に内壁下地１４を取り付け、該内壁下地の屋内側に内壁仕上げ材１５を取り付ける。
【００２３】
この結果、できあがった壁構造１０は次のとおりである。間柱１１の屋外側に取り付けられたアルミ熱線反射材１と、該アルミ熱線反射材の屋外側に間隔を存して取り付けられた通気胴縁１２と、該通気胴縁の屋外側に取り付けられた外壁仕上げ材１３と、前記アルミ熱線反射材１の屋内側で前記間柱１１の間隔区画内に、現場で発泡させて吹き付けられた樹脂発泡層２と、前記間柱の屋内側に取り付けられた内壁下地１４と、該内壁下地の屋内側に取り付けられた内壁仕上げ材１５とを含む。
【００２４】
このような壁構造１０において、通気胴縁１２によって上下で外気に通じた空気層１２ａが、外壁仕上げ材１３とアルミ熱線反射材１の間隔内（約１５ｍｍ以上〜約４０ｍｍ）に形成される。従って、この空気層（空間）の存在により、屋外側からの伝わってきた熱による熱線がアルミ熱線反射材１で反射（約９５％反射）される。もし、この空間がなければ、外部からの熱は熱伝導として屋内側へ移動してしまう。また、空気層の熱は上方気流によって上部から逃れるので、熱が蓄積されることはない。また、湿気がたまって胴縁を腐らせることもない。
【００２５】
ここで、アルミ熱線反射材だけでは熱の伝導，対流に効果は少なく、結露が生じる。発泡樹脂層だけでは、熱線の反射が少ないので、熱吸収して伝導する。本発明では、両者の各々の欠点を互いに補い、各々の利点を有する極めて優れた効果を発揮することとなった。静止した空気層では、太陽熱（特に夏）で熱がたまって高温度となり、また、湿気もたまり、胴縁を腐らすことになる。しかも、遮熱性、防水性、および透水性を持つアルミ熱線反射材と、無数の細かい連続気泡で構成された樹脂発泡層により、これらの持つ細孔を通して屋内の湿気は屋外へ排出されることになる。このため、防露性が向上することになる。
【００２６】
図２は、天井構造２０を示したものである。碁盤目状の桟からなる天井下地材２１の小屋裏側にアルミ熱線反射材１を取り付ける。前記アルミ熱線反射材の屋内側で前記天井下地材２１の間隔区画内に、硬質ウレタン原液を現場で発泡させて吹き付ける。該天井下地材２１の屋内側に天井仕上げ材２２を取り付ける。
【００２７】
この結果できあがった天井構造２０は次のとおりである。天井下地材２１の小屋裏側に取り付けられたアルミ熱線反射材１と、前記アルミ熱線反射材の屋内側で前記天井下地材２１の間隔区画内に、現場で発泡させて吹き付けられた樹脂発泡層２と、該天井下地材の屋内側に取り付けられた天井仕上げ材２２とを含む。
【００２８】
図３は小屋裏構造３０を示したものである。棟木Ａ７と軒桁Ａ５間に張り渡された垂木３１の屋外側で、棟木Ａ７から軒桁Ａ５までの部分にアルミ熱線反射材１を取り付ける。このとき、軒桁部分で、反射材１が垂木３１に接している部分の垂木の両側面に対応する部分が切断され、隣り合う垂木間で反射材１が垂れ下げられ、その下端縁付近が軒桁の屋外側へ取り付けられる。そして、この反射材１の垂下部分と垂木側面との境界部には、場合によって気密テープが貼られる。該アルミ熱線反射材の屋外側で、垂木に通気胴縁３２を間隔を存して取り付ける。該通気胴縁の屋外側に野地板３３を取り付ける。該野地板の屋外側にルーフィング３４を取り付ける。該ルーフィングの屋外側に屋根仕上げ材３５を取り付ける。前記アルミ熱線反射材１の小屋裏３０側で、前記垂木３１の間隔区画内で棟木から軒桁の反射材垂下部まで、硬質ウレタン原液を現場で発泡させて吹き付ける。
【００２９】
この結果できあがった小屋裏構造３０は次のとおりである。垂木３１の屋外側に取り付けられたアルミ熱線反射材１と、該アルミ熱線反射材の屋外側に間隔を存して取り付けられた通気胴縁３２と、該通気胴縁の屋外側に取り付けられた野地板３３と、該野地板の屋外側に取り付けられたルーフィング３４と、該ルーフィングの屋外側に取り付けられた屋根仕上げ材３５と、前記アルミ熱線反射材１の小屋裏３０側で前記垂木３１の間隔区画内に、現場で発泡させて吹き付けられた樹脂発泡層２とを含む。棟の上側には、通気胴縁３２の上昇気流を外気へ逃すため、公知の換気棟瓦３６が取り付けられる。
【００３０】
本発明は前記した実施例や実施態様に限定されず、特許請求の範囲および範囲を逸脱せずに種々の変形を含む。
【産業上の利用可能性】
【００３１】
本発明は遮熱建築物の構築方法および遮熱建築物、また、断熱，遮熱，保温，電磁波の軽減を必要とする種々な用途に利用できる。
【符号の説明】
【００３２】
Ａ１  基礎
Ａ２  土台
Ａ３  胴差し
Ａ４  床梁
Ａ５  軒桁
Ａ６  小屋梁
Ａ７  棟木
１  アルミ熱線反射材
２  樹脂発泡層
１０  壁
１１  間柱
１２  通気胴縁
１２ａ  通気層
１３  外壁仕上げ材
１４  内壁下地
１５  内壁仕上げ材
１６  水切り
２０  天井
２１  天井下地材
２２  天井仕上げ材
３０  小屋裏
３１  垂木
３２  通気胴縁
３３  野地板
３４  ルーフィング
３５  屋根仕上げ材
３６  換気棟瓦
【図１】
2013057222.tif 000003
【図２】
2013057222.tif 000004
【図３】
2013057222.tif 000005